(57)【要約】【課題】省電力制御が解除されてから予め定められた機能が復帰するまでの時間をより正確に報知する復帰状態報知制御装置、画像処理装置、及びプログラムを得る。【解決手段】ＣＰＵ５０によって、予め定められた機能を実行するための制御対象に対して電力消費量が抑制される省電力制御が行われている状態で、省電力制御が解除されてから予め定められた機能が復帰するまでの復帰時間を、解除される前の省電力制御の種類に応じて導出し、省電力制御が解除されてから予め定められた機能が復帰するまでに、導出した復帰時間と予め定められた機能とを対応させてディスプレイに表示するように操作部１４を制御する。【選択図】図３
2010277281.tif 000002
【特許請求の範囲】
【請求項１】
予め定められた機能を実行するための制御対象に対して電力消費量の抑制状態が各々異なる複数の省電力制御を行う省電力制御手段と、
省電力制御の解除の指示を受け付ける受付手段と、
省電力制御が行われている状態で前記受付手段が省電力制御の解除を受け付けた場合に、省電力制御を解除する解除手段と、
省電力制御が解除されてから前記予め定められた機能が復帰するまでの復帰時間を、前記解除手段によって解除される前の省電力制御に応じて導出する導出手段と、
省電力制御が解除されてから前記予め定められた機能が復帰するまでに、前記導出手段によって導出された前記復帰時間と前記予め定められた機能とを対応させて報知するように報知手段を制御する報知制御手段と、
を備えた復帰状態報知制御装置。
【請求項２】
前記導出手段は、省電力制御が行われている状態で前記復帰時間を予め導出する請求項１記載の復帰状態報知制御装置。
【請求項３】
前記導出手段は、前記復帰時間を複数の前記予め定められた機能毎に、前記解除手段によって解除される前の省電力制御に応じて導出する請求項１又は請求項２記載の復帰状態報知制御装置。
【請求項４】
請求項１から請求項３の何れか1項記載の復帰状態報知制御装置と、
記録媒体上にトナー像を形成する画像形成部、及び電力が供給されることで予め定められた温度に加熱されると共に前記記録媒体に形成されたトナー像を加熱定着させる定着部が設けられた画像形成手段と、
前記画像形成手段が備えられている装置内の温度を検出する温度検出手段と、
を備え、
前記導出手段が、前記定着部への電力の供給の停止による省電力制御を行った場合には、前記温度検出手段によって検出された温度及び当該省電力制御に移行してからの経過時間に基づいて、前記定着部が前記予め定められた温度に達するまでの時間を前記復帰時間として導出すると共に、前記定着部への電力の供給の停止以外による省電力制御を行った場合には、前記温度及び前記経過時間を用いることなく前記復帰時間を導出する画像処理装置。
【請求項５】
前記導出手段は、省電力制御に移行する前に前記温度検出手段によって検出された温度、及び前記経過時間に基づいて前記定着部が前記予め定められた温度に達するまでの時間を導出する請求項４記載の画像処理装置。
【請求項６】
前記導出手段は、省電力制御が行われている状態で、前記定着部が前記予め定められた温度に達するまでの時間を定期的に導出する請求項４又は請求項５記載の画像処理装置。
【請求項７】
前記導出手段は、前記経過時間に応じて、前記定着部が前記予め定められた温度に達するまでの時間を導出する時間間隔を変更する請求項６記載の画像処理装置。
【請求項８】
省電力制御が行われている他の画像処理装置から、当該省電力制御に応じて導出された前記復帰時間を示す導出復帰時間情報を受信する受信手段を更に備え、
前記導出手段は、省電力制御が行われている状態で、前記復帰時間を予め導出し、
前記報知制御手段は、前記解除手段によって省電力制御が解除されてから前記予め定められた機能が復帰するまでに、本装置の前記導出手段によって導出された前記復帰時間と前記予め定められた機能とを対応させて表示すると共に、前記受信手段で受信した前記導出復帰時間情報により示される前記他の画像処理装置の前記復帰時間と前記予め定められた機能とを対応させて表示するように前記報知手段を制御する請求項４から請求項７のうち何れか１項記載の画像処理装置。
【請求項９】
省電力制御が行われている状態で、前記導出手段によって定期的に導出された前記復帰時間が前回導出された前記復帰時間と異なる前記復帰時間情報を、前記他の画像処理装置へ送信する送信手段を更に備えた請求項８記載の画像処理装置。
【請求項１０】
前記他の画像処理装置に対する省電力制御の解除の指示を受け付け、当該指示を示す解除指示情報を前記送信手段から前記他の画像処理装置の前記受信手段へ送信させる第２の受付手段を更に備え、
前記解除手段は、省電力制御が行われている状態で、前記受信手段によって前記解除指示情報が受信された場合に、省電力制御を解除させる請求項９記載の画像処理装置。
【請求項１１】
前記省電力制御手段は、省電力制御が行われている状態で前記受付手段が省電力制御の解除を受け付け、前記解除手段が省電力制御を解除した後に、前記第２の受付手段が前記他の画像処理装置に対する省電力制御の解除の指示を受け付けた場合に、再び省電力制御を行う請求項１０記載の画像処理装置。
【請求項１２】
前記受信手段は、省電力制御が解除されている前記他の画像処理装置から、前記予め定められた機能の利用が可能となるまでの待ち時間を示す待ち時間情報を受信し、
前記報知制御手段は、前記解除手段によって省電力制御が解除されてから前記予め定められた機能が復帰するまでに、前記受信手段で受信した前記待ち時間情報により示される待ち時間を前記予め定められた機能に対応させて表示するように前記報知手段を制御する請求項８から請求項１１のうち何れか１項記載の画像処理装置。
【請求項１３】
コンピュータを、
予め定められた機能を実行するための制御対象に対して電力消費量の抑制状態が各々異なる複数の省電力制御を行う省電力制御手段と、
省電力制御が行われている状態で省電力制御の解除が受け付けられた場合に、省電力制御を解除する解除手段と、
省電力制御が解除されてから前記予め定められた機能が復帰するまでの復帰時間を、前記解除手段によって解除される前の省電力制御に応じて導出する導出手段と、
省電力制御が解除されてから前記予め定められた機能が復帰するまでに、前記導出手段によって導出された前記復帰時間と前記予め定められた機能とを対応させて報知するように報知手段を制御する報知制御手段と、
して機能させるためのプログラム。
【請求項１４】
コンピュータを、請求項１から請求項３の何れか１項に記載の復帰状態表示制御手段における前記省電力制御手段、前記解除手段、前記導出手段、及び前記報知制御手段として機能させるためのプログラム。
【発明の詳細な説明】
【技術分野】
【０００１】
本発明は、復帰状態報知制御装置、画像処理装置、及びプログラムに関するものである。
【背景技術】
【０００２】
特許文献１には、通信回線を介して他の機器と通信を行なう通信機能と、ホスト装置からのプリントデータを通信回線を介して他のプリンタ装置に転送する転送機能とを備えたプリンタ装置であって、省エネ状態でホスト装置からプリントデータを受信した場合、通信回線内の他のプリンタ装置の状態を通信機能により調査する調査手段と、調査手段で調査された省エネ状態ではない他のプリンタ装置を選択する選択手段と、ホスト装置から受信したプリントデータを、選択手段で選択した他のプリンタ装置に転送するプリントデータ転送手段と、を備えたプリンタ装置が開示されている。
【０００３】
特許文献２には、少なくとも１つのホスト装置や複数の印刷装置が接続された印刷通信回線システムにおける印刷装置において、省電力モードに切り換える省電力モード切換手段と、省電力モードの場合にホスト装置又は他の印刷装置から印刷要求を受けた際、近隣の他の印刷装置の稼動状態の問い合わせを行う稼動状態検出手段と、他の印刷装置からの稼動状態の問い合わせに対して自装置の稼動状態を検出して他の印刷装置に回答する稼動状態応答手段と、回答してきた他の印刷装置の稼動状態と自装置の稼動状態とを比較して印刷要求に対して自装置を含めて効率良く印刷する印刷装置を検索する印刷装置検索手段と、を備えた印刷装置が開示されている。
【０００４】
特許文献３には、コピー、ファクシミリ、スキャナ、並びに、プリンタ等の諸機能を複合して併せ持つ画像処理装置において、諸機能に関連する項目のなかから所望の項目を選択的に設定操作するためのユーザインタフェース機能を有する主操作報知手段と、主操作報知手段とは別個に設けられた項目から選抜された機能に係る項目のなかから所望の項目を選択的に設定操作するための限定されたユーザインタフェース機能を有し主操作報知手段よりも起動完了までの待ち時間が短い副操作報知手段と、電源オン又はスリープ復帰時の少なくとも一方の場合には、主／副の両操作報知手段へ共に給電を開始させる電力制御を行う制御手段と、を備えた画像処理装置が開示されている。
【先行技術文献】
【特許文献】
【０００５】
【特許文献１】特開２００２−１１３９２５号公報
【特許文献２】特開２００４−００９３４１号公報
【特許文献３】特開２００７−３３６３２５号公報
【発明の概要】
【発明が解決しようとする課題】
【０００６】
本発明の課題は、省電力制御が解除されてから予め定められた機能が復帰するまでの復帰時間をより正確に報知する復帰状態報知制御装置、画像処理装置、及びプログラムを提供することである。
【課題を解決するための手段】
【０００７】
上記目的を達成するために、請求項１の復帰状態報知制御装置は、予め定められた機能を実行するための制御対象に対して電力消費量の抑制状態が各々異なる複数の省電力制御を行う省電力制御手段と、省電力制御の解除の指示を受け付ける受付手段と、省電力制御が行われている状態で前記受付手段が省電力制御の解除を受け付けた場合に、省電力制御を解除する解除手段と、省電力制御が解除されてから前記予め定められた機能が復帰するまでの復帰時間を、前記解除手段によって解除される前の省電力制御に応じて導出する導出手段と、省電力制御が解除されてから前記予め定められた機能が復帰するまでに、前記導出手段によって導出された前記復帰時間と前記予め定められた機能とを対応させて報知するように報知手段を制御する報知制御手段と、を備えている。
【０００８】
また、請求項２に記載の発明は、請求項１に記載の発明において、前記導出手段が、省電力制御が行われている状態で前記復帰時間を予め導出するものである。
【０００９】
また、請求項３に記載の発明は、請求項１又は請求項２に記載の発明において前記導出手段が、前記復帰時間を複数の前記予め定められた機能毎に、前記解除手段によって解除される前の省電力制御に応じて導出するものである。
【００１０】
また、請求項４の画像処理装置は、請求項１から請求項３の何れか1項記載の復帰状態報知制御装置と、記録媒体上にトナー像を形成する画像形成部、及び電力が供給されることで予め定められた温度に加熱されると共に前記記録媒体に形成されたトナー像を加熱定着させる定着部が設けられた画像形成手段と、前記画像形成手段が備えられている装置内の温度を検出する温度検出手段と、を備え、前記導出手段が、前記定着部への電力の供給の停止による省電力制御を行った場合には、前記温度検出手段によって検出された温度及び当該省電力制御に移行してからの経過時間に基づいて、前記定着部が前記予め定められた温度に達するまでの時間を前記復帰時間として導出すると共に、前記定着部への電力の供給の停止以外による省電力制御を行った場合には、前記温度及び前記経過時間を用いることなく前記復帰時間を導出するものである。
【００１１】
また、請求項５に記載の発明は、請求項４に記載の発明において、前記導出手段が、省電力制御に移行する前に前記温度検出手段によって検出された温度、及び前記経過時間に基づいて前記定着部が前記予め定められた温度に達するまでの時間を導出するものである。
【００１２】
また、請求項６に記載の発明は、請求項４又は請求項５記載の発明において、前記導出手段が、省電力制御が行われている状態で、前記定着部が前記予め定められた温度に達するまでの時間を定期的に導出するものである。
【００１３】
また、請求項７に記載の発明は、請求項６記載の発明において、前記導出手段が、前記経過時間に応じて、前記定着部が前記予め定められた温度に達するまでの時間を導出する時間間隔を変更するものである。
【００１４】
また、請求項８に記載の発明は、請求項４から請求項７のうち何れか１項記載の発明において、省電力制御が行われている他の画像処理装置から、当該省電力制御に応じて導出された前記復帰時間を示す導出復帰時間情報を受信する受信手段を更に備え、前記導出手段が、省電力制御が行われている状態で、前記復帰時間を予め導出し、前記報知制御手段は、前記解除手段によって省電力制御が解除されてから前記予め定められた機能が復帰するまでに、本装置の前記導出手段によって導出された前記復帰時間と前記予め定められた機能とを対応させて表示すると共に、前記受信手段で受信した前記導出復帰時間情報により示される前記他の画像処理装置の前記復帰時間と前記予め定められた機能とを対応させて表示するように前記報知手段を制御するものである。
【００１５】
また、請求項９に記載の発明は、請求項８記載の発明において、省電力制御が行われている状態で、前記導出手段によって定期的に導出された前記復帰時間が前回導出された前記復帰時間と異なる前記復帰時間情報を、前記他の画像処理装置へ送信する送信手段を更に備えたものである。
【００１６】
また、請求項１０に記載の発明は、請求項９記載の発明において、前記他の画像処理装置に対する省電力制御の解除の指示を受け付け、当該指示を示す解除指示情報を前記送信手段から前記他の画像処理装置の前記受信手段へ送信させる第２の受付手段を更に備え、前記解除手段が、省電力制御が行われている状態で、前記受信手段によって前記解除指示情報が受信された場合に、省電力制御を解除させるものである。
【００１７】
また、請求項１１に記載の発明は、請求項１０記載の発明において、前記省電力制御手段が、省電力制御が行われている状態で前記受付手段が省電力制御の解除を受け付け、前記解除手段が省電力制御を解除した後に、前記第２の受付手段が前記他の画像処理装置に対する省電力制御の解除の指示を受け付けた場合に、再び省電力制御を行うものである。
【００１８】
また、請求項１２に記載の発明は、請求項８から請求項１１のうち何れか１項記載の発明において、前記受信手段は、省電力制御が解除されている前記他の画像処理装置から、前記予め定められた機能の利用が可能となるまでの待ち時間を示す待ち時間情報を受信し、前記報知制御手段が、前記解除手段によって省電力制御が解除されてから前記予め定められた機能が復帰するまでに、前記受信手段で受信した前記待ち時間情報により示される待ち時間を前記予め定められた機能に対応させて表示するように前記報知手段を制御する
ものである。
【００１９】
さらに、請求項１３に記載のプログラムは、コンピュータを、予め定められた機能を実行するための制御対象に対して電力消費量の抑制状態が各々異なる複数の省電力制御を行う省電力制御手段と、省電力制御が行われている状態で省電力制御の解除が受け付けられた場合に、省電力制御を解除する解除手段と、省電力制御が解除されてから前記予め定められた機能が復帰するまでの復帰時間を、前記解除手段によって解除される前の省電力制御に応じて導出する導出手段と、省電力制御が解除されてから前記予め定められた機能が復帰するまでに、前記導出手段によって導出された前記復帰時間と前記予め定められた機能とを対応させて報知するように報知手段を制御する報知制御手段と、して機能させるためのプログラムである。
【００２０】
さらに、請求項１４に記載のプログラムは、コンピュータを、請求項１から請求項３の何れか１項に記載の復帰状態表示制御手段における前記省電力制御手段、前記解除手段、前記導出手段、及び前記報知制御手段として機能させるためのプログラムである。
【発明の効果】
【００２１】
請求項１、請求項１３、及び請求項１４に係る発明によれば、解除された省電力制御に応じて復帰時間を報知しない場合に比べて、予め定められた機能の復帰時間がより正確に報知される。
【００２２】
請求項２に係る発明によれば、省電力制御が解除された後に復帰時間を導出する場合に比べ、より速く復帰時間が報知される。
【００２３】
請求項３に係る発明によれば、予め定められた機能毎に復帰時間を導出しない場合に比べ、より正確な復帰時間が報知される。
【００２４】
請求項４に係る発明によれば、定着部が予め定められた温度に達するまでの時間を復帰時間として導出しない場合に比べ、より正確な復帰時間が報知される。
【００２５】
請求項５に係る発明によれば、省電力制御に移行した後に温度を検出する場合に比べ、復帰時間を導出する際の電力消費量がより抑制される。
【００２６】
請求項６に係る発明によれば、省電力制御が解除された後に復帰時間を導出する場合に比べ、より速く復帰時間が報知される。
【００２７】
請求項７に係る発明によれば、予め定められた時間間隔で定期的に復帰時間を導出する場合に比べ、復帰時間を導出する際の電力消費量がより抑制される。
【００２８】
請求項８に係る発明によれば、本装置における予め定められた機能の復帰時間と、他の画像処理装置における予め定められた機能の復帰時間との差がユーザによって認識される。
【００２９】
請求項９に係る発明によれば、復帰時間を定期的に導出する毎に導出復帰時間情報を送信する場合に比べ、省電力制御における電力の消費量がより抑制される。
【００３０】
請求項１０に係る発明によれば、本装置で他の画像処理装置の省電力制御が解除できない場合に比べ、ユーザの利便性がより高くなる。
【００３１】
請求項１１に係る発明によれば、ユーザによって使用されない画像処理装置の省電力制御が、解除されたままとなることが防止される。
【００３２】
請求項１２に係る発明によれば、本装置における予め定められた機能の復帰時間と、省電力制御が解除されている他の画像処理装置における予め定められた機能の利用が可能となるまでの時間との差がユーザによって認識される。
【図面の簡単な説明】
【００３３】
【図１】第１の実施の形態に係る画像処理装置の外観図である。
【図２】第１の実施の形態に係る画像処理装置のプリンタ部の内部構成を示す図である。
【図３】第１の実施の形態に係る画像処理装置の電気系の要部構成を示す図である。
【図４】第１の実施の形態に係る画像処理装置の省電力制御の電力消費量を示す模式図である。
【図５】第１の実施の形態に係る画像処理装置の省電力制御が解除された後の各機能の復帰時間を示す模式図である。
【図６】第１の実施の形態に係る復帰時間報知プログラムの処理の流れを示すフローチャートである。
【図７】第１の実施の形態に係る画像処理装置に記憶されている復帰時間情報の構成を示す模式図である。
【図８】第１の実施の形態に係る画像処理装置の省電力制御が解除され、各機能が復帰するまでにディスプレイに表示される画像の一例である。
【図９】第２の実施の形態に係る画像処理装置と他の画像処理装置との接続関係を示す模式図である。
【図１０】第２の実施の形態に係る情報送受信プログラムの処理の流れを示すフローチャートである。
【図１１】第２の実施の形態に係る画像処理装置の省電力制御が解除され、各機能が復帰するまでにディスプレイに表示される画像の一例である。
【発明を実施するための形態】
【００３４】
以下、図面を参照して、本発明の実施の形態について詳細に説明する。
【００３５】
［第１の実施の形態］
図１を参照して、本実施の形態に係る画像処理装置１０の外観上の構成を説明する。
【００３６】
同図に示すように、画像処理装置１０は、原稿の表面に形成されている画像を示す画像情報を取得するスキャナ部１１、電子写真方式により記録用紙に対して画像の形成を行うプリンタ部１２、操作メニューやメッセージ等の各種情報を表示すると共に表示面に透過型のタッチパネルが一体的に設けられたディスプレイ１４Ａ、各種の操作指示が入力される操作ボタン１４Ｂが設けられた操作部１４、及び後述する省電力制御の解除の指示を受け付ける解除スイッチ１５を備えている。
【００３７】
なお、スキャナ部１１は、原稿台、光照射装置、及びＣＣＤ（Charge Coupled Device）ラインセンサー等で構成されたイメージセンサーが設けられている。原稿台は、透明であり原稿が置かれ、光照射装置は当該原稿台の下側の空間に配置され、原稿に対して相対的に移動して光を照射する。そして、スキャナ部１１は、光照射装置から照射され原稿の表面で反射した光を、イメージセンサーで読み取ることで、原稿の表面に形成されている画像を示す画像情報を取得する。
【００３８】
次に、図２を参照して、プリンタ部１２の内部構成を説明する。
【００３９】
同図に示すように、プリンタ部１２は、イエロー（Ｙ）のトナーを用いて記録用紙Ｐに画像を形成する画像形成ユニット１６Ｙ、マゼンタ（Ｍ）のトナーを用いて記録用紙Ｐに画像を形成する画像形成ユニット１６Ｍ、シアン（Ｃ）のトナーを用いて記録用紙Ｐに画像を形成する画像形成ユニット１６Ｃ、及びブラック（Ｋ）のトナーを用いて記録用紙Ｐに画像を形成する画像形成ユニット１６Ｋを備えている。なお、以下の説明において、対応する色を区別する場合は、上記のように画像形成ユニットを示す符号の末尾にＹ，Ｍ，Ｃ，Ｋの何れかを付して説明し、対応する色を区別しない場合は、Ｙ，Ｍ，Ｃ，Ｋを省略する。
【００４０】
画像形成ユニット１６は、感光体ドラム１８を備えている。感光体ドラム１８は、回転軸を有し、回転軸を中心として矢印Ａ方向（副走査方向）に回転した状態で、受光面１８Ａに静電潜像が形成された後、静電潜像が各色のトナーで現像される。
【００４１】
感光体ドラム１８の下方には、帯電器２０が設けられている。帯電器２０は、感光体ドラム１８の受光面１８Ａに接触することによって、直流電圧に交流電圧が重畳された重畳電圧により受光面１８Ａを帯電させる。
【００４２】
感光体ドラム１８の帯電器２０との接触位置より回転方向下流側には、露光装置２２が設けられている。露光装置２２は、感光体ドラム１８の回転軸方向（主走査方向）に対して、画像情報に基づいて光ビームを感光体ドラム１８の帯電された受光面１８Ａに照射することにより、受光面１８Ａ上に静電潜像を形成する。
【００４３】
さらに、露光装置２２より感光体ドラム１８の回転方向下流側には、現像器２４が設けられている。現像器２４は、感光体ドラム１８の受光面１８Ａとの間隔が予め定められた間隔となるように配設されている現像ローラ２４Ａを備えている。現像器２４は、内部に各画像形成ユニット１６で現像される色に対応したトナーを貯留しており、現像ローラ２４Ａが回転することにより内部に貯留されたトナーを感光体ドラム１８の受光面１８Ａと対向する位置に搬送し、受光面１８Ａに形成された静電潜像にトナーを電気的に付着させることにより、受光面１８Ａに形成された静電潜像を現像してトナー像とする。
【００４４】
一方、帯電器２０より感光体ドラム１８の回転方向上流側にはクリーナ２６が設けられている。クリーナ２６は、トナー像が感光体ドラム１８の受光面１８Ａから後述する中間転写ベルト３０に転写された後に、受光面１８Ａを摺擦して受光面１８Ａに残留する残留トナーを回収する。
【００４５】
また、各画像形成ユニット１６が備える各々の感光体ドラム１８の受光面１８Ａに接触するように、記録用紙Ｐに転写すべき画像が形成される中間転写体としての中間転写ベルト３０が設けられている。中間転写ベルト３０は、複数のローラ３０Ａに巻掛けられており、複数のローラ３０Ａによって感光体ドラム１８の回転方向とは逆方向の図１の矢印Ｂ方向に回転される。これにより、中間転写ベルト３０には、回転した状態で感光体ドラム１８の受光面１８Ａに形成されているＹ，Ｍ，Ｃ，Ｋ各々のトナー像が重ね合うように転写され、カラー画像が形成される。
【００４６】
さらに、画像形成ユニット１６の下方には、複数の給紙部３２が設けられている。
【００４７】
給紙部３２には、取り出しローラ３１が各々設けられている。取り出しローラ３１は、回転することにより給紙部３２から記録用紙Ｐを一枚ずつ取り出す。取り出しローラ３１により取り出された記録用紙Ｐは、搬送部３４によって、中間転写ベルト３０からトナー像が転写される転写位置へ搬送される。
【００４８】
上記転写位置には、転写ローラで構成された転写部３６が設けられている。転写部３６は、搬送部３４によって搬送されている記録用紙Ｐを、回転している中間転写ベルト３０とで狭持することにより中間転写ベルト３０に形成されたトナー像を記録用紙Ｐに転写する。
【００４９】
転写部３６の配設位置より搬送部３４による記録用紙Ｐの搬送方向下流側には、記録用紙Ｐに転写されたトナー像を定着させる定着部３８が設けられ、さらに記録用紙Ｐは、搬送部３４によって搬送され、排紙部４０に排紙される。
【００５０】
定着部３８には、電力が供給されることで予め定められた温度（以下、「定着温度」という。）に加熱される加熱ロール３８Ａが設けられると共に、加熱された加熱ロール３８Ａによって記録用紙Ｐに形成されたトナー像を記録用紙Ｐに加熱定着させる。
【００５１】
さらに、本実施の形態に係るプリンタ部１２には、装置内の雰囲気温度を検出する温度センサ４２が備えられている。なお、本実施の形態では、一例として、温度センサ４２を装置の上端部に備える。
【００５２】
図３に、本実施の形態に係る画像処理装置１０の電気系の要部構成を示す。
【００５３】
画像処理装置１０は、画像処理装置１０全体の動作を司るＣＰＵ（Central Processing Unit）５０、各種プログラムや各種パラメータ、各種テーブル情報が予め記憶されたＲＯＭ（Read Only Memory）５２、各種プログラムの実行時のワークエリア等として用いられるＲＡＭ（Random Access Memory）５４、及びパーソナル・コンピュータ等の外部の端末装置と接続され、当該端末装置と画像情報等の各種情報の送受信を行う外部インタフェース５６を備えたコントローラ５８を備えている。また、画像処理装置１０は、スキャナ部１１や外部インタフェース５６から入力された画像情報をファックス回線を介してファックス送信すると共に、ファックス回線を介して入力された画像情報を受信するファックス部６０、外部インタフェース５６及びスキャナ部１１で取得した画像情報や各種情報を記憶するＨＤＤ（Hard Disk Drive）６２、並びにコントローラ５８、スキャナ部１１、プリンタ部１２、操作部１４、及びＨＤＤ６２へ電力を供給する電力供給部６４を備えている。なお、プリンタ部１２は、ＭＣＵ（Micro Control Unit）６６を備えており、ＭＣＵ６６によって画像形成ユニット１６、定着部３８、及び温度センサ４２等が制御される。
【００５４】
また、本実施の形態に係るコントローラ５８は、スキャナ部１１、プリンタ部１２、操作部１４、ファックス部６０、ＨＤＤ６２、及び電力供給部６４と相互に接続されている。従って、コントローラ５８は、スキャナ部１１の動作の制御、ＭＣＵ６６を介したプリンタ部１２の動作の制御、ファックス部６０の動作の制御、操作部１４に対する操作状態の把握や各種のメッセージ等の表示、並びに電力供給部６４を介したスキャナ部１１、プリンタ部１２、操作部１４、ファックス部６０、及びＨＤＤ６２への電力の供給の制御を各々行う。
【００５５】
さらに、本実施の形態に係るコントローラ５８は、予め定められた機能を実行するための制御対象であるスキャナ部１１、プリンタ部１２、操作部１４、ファックス部６０、及びＨＤＤ６２に対して電力消費量の抑制状態が各々異なる複数の省電力制御を行う。
【００５６】
本実施の形態では上記予め定められた機能として、画像情報に基づいて記録用紙Ｐに画像を形成させる画像形成機能を有する。なお、画像形成機能は、スキャナ部１１で読み取った原稿の画像を示す画像情報や、外部インタフェース５６を介して受信した画像情報に基づいて画像の形成を実行させるコピー機能（プリントも含む）、及びスキャナ部１１で読み取った原稿の画像を示す画像情報をファックス送信させたり、ファックス回線を介して入力された画像情報に基づいて画像の形成を実行させるファックス機能に分けられる。なお、コピー機能は、スキャナ部１１、コントローラ５８、プリンタ部１２、及びＨＤＤ６２の各制御対象により実行され、ファックス機能は、コントローラ５８、スキャナ部１１、プリンタ部１２、及びファックス部６０の各制御対象により実行される。
【００５７】
さらに、予め定められた機能として、スキャナ部１１で原稿を読み取らせ、読み取った原稿の画像を示す画像情報を、外部インタフェース５６を介して接続されている端末装置へ当該画像情報を送信させるスキャン機能、及び画像処理装置１０が画像の形成を実行することができない場合に、原稿をスキャナ部１１で先に読み取らせ、ＨＤＤ６２に記憶させるコピー原稿先読み機能を有している。なお、スキャン機能及びコピー原稿先読み機能は、コントローラ５８、スキャナ部１１、及びＨＤＤ６２の各制御対象により実行される。
【００５８】
以上のように、本実施の形態に係る画像処理装置１０は、予め定められた機能として、コピー機能、ファックス機能、スキャン機能、及びコピー原稿先読み機能を適用して説明するが、これに限らず、予め定められた機能として上記４つの機能のうち一部の機能を適用してもよいし、上記４つの機能とは異なる他の機能を適用してもよい。
【００５９】
また、本実施の形態に係る画像処理装置１０は、上記複数の省電力制御として、図４に示すように、上記予め定められた機能を速やかに実行可能な状態に画像処理装置１０を保持して待機する待機モードに比べて電力消費量が少ない小電力（Ｌｏｗ  Ｐｏｗｅｒ）モード（以下、「ＬＰモード」という。）、及びＬＰモードに比べて電力消費量が少ない休止（Ｓｌｅｅｐ）モードを有するが、これに限らず、電力消費量の抑制状態が異なる他のモードを有してもよい。
【００６０】
なお、コントローラ５８は、ＬＰモードを行う場合に電力供給部６４にＬＰモード移行信号を送信する。電力供給部６４はＬＰモード移行信号を受信すると、操作部１４、スキャナ部１１、及びプリンタ部１２の定着部３８への電力の供給を停止または減少させ、コントローラ５８、ファックス部６０、及びＨＤＤ６２等の上記以外の制御対象に対しては電力の供給を続ける。また、コントローラ５８は、Ｓｌｅｅｐモードを行う場合に電力供給部６４にＳｌｅｅｐモード移行信号を送信する。電力供給部６４はＳｌｅｅｐモード移行信号を受信すると、コントローラ５８及びファックス部６０の受信を司る部分以外への電力の供給を停止する。そして、解除スイッチ１５が押圧されると、コントローラ５８は、電力供給部６４に解除信号を送信し、電力供給部６４は解除信号を受信すると、電力の供給を停止していた各制御対象への電力の供給を行う。
【００６１】
さらに、本実施の形態に係るコントローラ５８は、省電力制御が解除されてから予め定られた各機能が復帰するまでの復帰時間を、解除スイッチ１５によって解除される前の省電力制御に応じて導出し、省電力制御が解除されてから予め定められた機能が復帰するまでに、上記導出した復帰時間と予め定められた各機能とを対応させて報知するように操作部１４を制御する復帰時間報知処理を実行する。
【００６２】
次に、本実施の形態に係る画像処理装置１０の作用を説明する。
【００６３】
図５は、省電力制御が解除されてから、各機能が復帰するまでの時間経過を示す模式図である。なお、図５（Ａ）はＬＰモードが解除された場合を示し、図５（Ｂ）はＳｌｅｅｐモードが解除された場合を示している。図５（Ａ），（Ｂ）に示すように、モードが同じ場合、コピー機能及びファックス機能の方が、スキャン機能及びコピー原稿先読み機能より復帰動作に要する復帰時間より長く、各機能の復帰動作に要する復帰時間は、ＬＰモードに比べてＳｌｅｅｐモードのほうが長い。
【００６４】
また、解除スイッチ１５は、省電力制御を行っている場合には点灯しており、押圧されると消灯する。そして、解除スイッチ１５が押圧されると各制御対象にコントローラ５８によって電力供給部６４を介して電力が供給されるように制御される。これにより、各機能は、復帰動作を開始し、操作部１４のディスプレイ１４Ａには、予め定められた機能毎に復帰時間が表示される。そして、スキャン機能及びコピー原稿先読み機能の復帰動作が終了した場合に、ディスプレイ１４Ａの表示状態が各機能を選択する表示に切り替わる。
【００６５】
次に、図６を参照して、上記予め定められた機能の各々による処理が終了して待機モードに移行した後に、ＣＰＵ５０によって実行される復帰時間報知プログラムの処理の流れを示すフローチャートについて説明する。当該プログラムは記憶媒体であるＲＯＭ５２の予め定められた領域に記憶されている。
【００６６】
まずステップ１００では、待機モードからＬＰモードへ移行するＬＰモード移行時間が経過するまで待ち状態となる。ＬＰモード移行時間とは、待機モードにおいて、予め定められた機能であるコピー機能、ファックス機能、スキャン機能、及びコピー原稿先読み機能が利用されない状態が予め定められた時間（一例として１５分）継続した時間である。
【００６７】
次のステップ１０２では、ＬＰモードに移行させるために、電力供給部６４にＬＰモード移行信号を送信する。ＬＰモード移行信号を受信した電力供給部６４は、上述したように、操作部１４、スキャナ部１１、及びプリンタ部１２の定着部３８への電力の供給を停止または減少させる。
【００６８】
次のステップ１０３では、温度センサ４２が雰囲気温度及び定着器温度を検出するように、ＭＣＵ６６を制御する（定着器温度は図示しない定着器温度制御用の温度センサで検出する）。
【００６９】
次のステップ１０４では、省電力制御が行われている状態で予め定められた機能の復帰時間を予め導出する。なお、本実施の形態に係る画像処理装置１０では、省電力制御の種類に応じて、予め定められた機能に対応した復帰時間を示す復帰時間情報がＲＯＭ５２に予め記憶されており、この復帰時間情報を読み出すことで複数の予め定められた機能毎に復帰時間を導出する。
【００７０】
図７に復帰時間情報の構成を表す模式図を示す。図７（Ａ）はスキャン機能及びコピー原稿先読み機能の復帰時間を示すＲＯＭ５２に記憶した復帰時間情報（以下、「第１の復帰時間情報」という。）の模式図の一例であり、図７（Ｂ）は、コピー機能及びファックス機能の復帰時間を示すＲＯＭ５２に記憶した復帰時間情報（以下、「第２の復帰時間情報」という。）の模式図の一例である。図７（Ｂ）は、Ｓｌｅｅｐモードの一例であり、図示しないＬＰモードのケースも同様な構成である。
【００７１】
ここで、コピー機能及びファックス機能は、プリンタ部１２を動作させることにより実行される機能であるため、定着部３８に備えられている加熱ロール３８Ａの温度が定着温度（本実施形態では、一例として１７０℃）に到達しないと機能として復帰しない。すなわち、定着部３８の復帰時間は、コピー機能及びファックス機能の復帰時間となる。そして、定着部３８の復帰時間は、雰囲気温度及び定着器温度及び省電力制御に移行してからの経過時間に依存するため、本実施の形態に係る画像処理装置１０では、雰囲気温度及び定着器温度及び経過時間に基づいて定着部３８の復帰時間を導出する。
【００７２】
なお、第２の復帰時間情報は、雰囲気温度が複数の温度領域に区切られると共に、経過時間が複数の時間間隔に区切られている。そして、各温度領域毎に復帰時間が示されており、温度領域が低く経過時間が長いほど、長い復帰時間となっている。また、本実施の形態に係る第２の復帰時間情報は、経過時間が長くなるほど長い時間間隔で区切られている。
【００７３】
そして、本実施の形態に係る画像処理装置１０では、一例として、スキャン機能及びコピー原稿先読み機能の復帰時間を第１の復帰時間情報から６秒と導出する。なお、各復帰時間を示す情報は、導出復帰時間情報としてＲＡＭ５４に記憶される。
【００７４】
次のステップ１０６では、定着部３８の復帰時間を導出するタイミングに達したか否かを判定し、肯定判定となった場合はステップ１０８へ移行する一方、否定判定となった場合はステップ１１２へ移行する。なお、上記タイミングとは、第２の復帰時間情報によって区切られた経過時間に対応しており、本実施の形態では、一例として、経過時間が１分、２分、５分、１０分、２０分、４０分、６０分経過する毎に上記タイミングに達したと判定する。すなわち、ＣＰＵ５０は、経過時間に応じて、復帰時間を導出する時間間隔を変更し、本実施の形態では、経過時間が長くなるほど長い時間間隔で、コピー機能及びファックス機能の復帰時間を導出する。なお、上記時間間隔は、Ｓｌｅｅｐモードから復帰後、再度Ｓｌｅｅｐモードに移行した際は、時間経過に応じた設定にする。
【００７５】
次のステップ１０８では、温度センサ４２が雰囲気温度及び定着器温度を検出するように、ＭＣＵ６６を制御する。
【００７６】
次のステップ１１０では、ステップ１０８において検出した雰囲気温度及び定着器温度と経過時間から第２の復帰時間情報に基づいて、定着部３８の復帰時間を導出し、導出した復帰時間で、ＲＡＭ５４に記憶されているコピー機能及びファックス機能の復帰時間を示す情報を更新する。
【００７７】
次のステップ１１２では、解除スイッチ１５が押圧されたことによって、省電力状態の解除の指示を受け付けたか否かを判定し、肯定判定となった場合はステップ１２８へ移行する一方、否定判定となった場合はステップ１１４へ移行する。
【００７８】
ステップ１１４では、Ｓｌｅｅｐモード移行時間が経過したか否かを判定し、肯定判定となった場合はステップ１１６へ移行する一方、否定判定となった場合はステップ１０６へ戻る。Ｓｌｅｅｐモード移行時間とは、待機モードの時間に加えてＬＰモードへ移行してから、省電力状態の解除の指示が無い状態が予め定められた時間（一例として６０分）継続した時間である。
【００７９】
次のステップ１１６では、温度センサ４２が雰囲気温度及び定着器温度を検出するように、ＭＣＵ６６を制御し、検出した雰囲気温度及び定着器温度をＲＡＭ５４に記憶する。なお、本ステップで雰囲気温度及び定着器温度を検出する理由は、Ｓｌｅｅｐモードに移行すると、ＭＣＵ６６に対しても電力の供給が停止されるため、Ｓｌｅｅｐモードが行われている状態で雰囲気温度及び定着器温度を検出することができないためである。
【００８０】
次のステップ１１８では、Ｓｌｅｅｐモードに移行するように、電力供給部６４にＳｌｅｅｐモード移行信号を送信する。Ｓｌｅｅｐモード移行信号を受信した電力供給部６４は、上述したように、コントローラ５８及びファックス部６０の受信を司る部分以外への電力の供給を停止する。
【００８１】
次のステップ１２０では、第１の復帰時間情報に基づいてＳｌｅｅｐモードにおけるスキャン機能及びコピー原稿先読み機能の復帰時間を導出し、第２の復帰時間情報に基づいてＳｌｅｅｐモードにおけるコピー機能及びファックス機能の復帰時間を導出し、これらの復帰時間を示す導出復帰時間情報をＲＡＭ５４に更新記憶する。
【００８２】
次のステップ１２２では、定着部３８の復帰時間を導出するタイミングに達したか否かを判定し、肯定判定となった場合はステップ１２４へ移行する一方、否定判定となった場合はステップ１２６へ移行する。
【００８３】
次のステップ１２４では、ステップ１１６において検出した雰囲気温度及び定着器温度とＳｌｅｅｐモードに移行してからの経過時間に基づいて、第２の復帰時間情報から定着部３８の復帰時間を導出し、導出した復帰時間で、ＲＡＭ５４に記憶されているコピー機能及びファックス機能の復帰時間を示す復帰時間情報を更新する。一例としてステップ１１６による処理で検出した雰囲気温度及び定着器温度に基づいて、定着部３８の復帰時間をコピー機能及びファックス機能のＳｌｅｅｐモードにおける復帰時間として第２の復帰時間情報（図７（Ｂ））から５０秒（Ｓｌｅｅｐモード移行後６０分の場合）と導出する。また、例えばＳｌｅｅｐモード移行後１分の場合は３０秒と導出する。
【００８４】
ステップ１２６では、解除スイッチ１５が押圧されて、省電力状態の解除の指示を受け付けたか否かを判定し、肯定判定となった場合はステップ１２８へ移行する一方、否定判定となった場合はステップ１２２へ戻る。
【００８５】
ステップ１２８では、電力供給部６４に解除信号を送信し、電力の供給を停止していた各制御対象に電力の供給を再開させ、待機モードに移行させる。
【００８６】
次のステップ１３０では、省電力制御を解除してから予め定められた機能が復帰するまでに、ＲＡＭ５４に記憶されている導出復帰時間により示される復帰時間と予め定められた機能とを対応させて、操作部１４のディスプレイ１４Ａに表示させ（図８参照）、本プログラムを終了する。なお、図８（Ａ）は、ＬＰモードから復帰した場合にディスプレイ１４Ａに表示される復帰時間の一例であり、図８（Ｂ）は、Ｓｌｅｅｐモードから復帰した場合にディスプレイ１４Ａに表示される復帰時間の一例である。また、図８（Ａ），（Ｂ）に示す機能設定とは、スキャン機能、コピー原稿先読み機能、コピー機能、及びファックス機能に関する細部の設定が操作部１４によって可能となるまでの時間である。なお、ディスプレイ１４Ａに表示される復帰時間は、ディスプレイ１４Ａに表示されてから対応する機能が復帰するまでカウントダウンされる。または、復帰時間はそのままで経過時間をカウントアップしてもよい。
【００８７】
［第２の実施の形態］
本第２の実施の形態では、省電力制御が行われている状態の他の画像処理装置から導出復帰時間情報を受信し、本装置の省電力制御が解除されてから予め定められた機能が復帰するまでに、ディスプレイ１４Ａに復帰時間と予め定められた機能とを対応させて表示させると共に、受信した導出復帰時間情報により示される他の画像処理装置１０’の復帰時間と予め定められた機能とを対応させて表示させる形態例について説明する。なお、本第２の実施の形態に係る画像処理装置１０の構成は、第１の実施の形態に係るもの（図１から図３参照。）と同様であるので説明を省略する。
【００８８】
本第２の実施の形態に係る画像処理装置１０は、図９に示すように通信回線７０によって外部インタフェース５６を解して、一例として２台の他の画像処理装置１０’Ａ，１０’Ｂと接続されている。そして、本第２の実施の形態に係る画像処理装置１０は、外部インタフェース５６を介して、省電力制御が行われている他の画像処理装置１０’Ａ，１０’Ｂから、当該省電力制御に応じて導出された復帰時間を示す導出復帰時間情報を受信し、省電力制御が行われている場合に、他の画像処理装置１０’Ａ，１０’Ｂへ省電力制御に応じて導出した導出復帰時間情報を送信する。なお、以下の説明において、他の画像処理装置１０’Ａ，１０’Ｂを区別する場合は、符号の末尾に対応するＡ，Ｂの何れかを付して説明し、区別しない場合は、Ａ，Ｂを省略する。
【００８９】
次に、図１０を参照して、本第２の実施の形態に係る画像処理装置１０の作用を説明する。同図は、省電力制御に移行した後にＣＰＵ５０によって実行される情報送受信プログラムの処理の流れを示すフローチャートであり、当該プログラムは記憶媒体であるＲＯＭ５２の予め定められた領域に記憶されている。
【００９０】
まず、ステップ２００では、復帰時間が導出されたか否かを判定し、肯定判定となった場合はステップ２０２へ移行する一方、否定判定となった場合はステップ２０６へ移行する。
【００９１】
ステップ２０２では、省電力制御に移行した後に定期的に導出した復帰時間が前回導出した復帰時間と異なるか否かを判定し、肯定判定となった場合はステップ２０４へ移行し、外部インタフェース５６を介して他の画像処理装置１０’へ導出復帰時間情報を送信した後にステップ２０６へ移行する。一方、ステップ２０２において否定判定となった場合は外部インタフェース５６を介して他の画像処理装置１０’へ導出復帰時間情報を送信することなく、ステップ２０６へ移行する。
【００９２】
ステップ２０６では、他の画像処理装置１０’から、外部インタフェース５６を介して導出復帰時間情報を受信したか否かを判定し、肯定判定となった場合はステップ２０８へ移行し、受信した導出復帰時間情報を他の画像処理装置１０’毎にＲＡＭ５４に記憶した後に、ステップ２００へ戻る。一方、ステップ２０６において、否定判定となった場合はステップ２１０へ移行する。
【００９３】
ステップ２１０では、解除スイッチ１５が押圧され、省電力状態の解除の指示を受け付けたか否かを判定し、否定判定となった場合はステップ２００へ戻る一方、肯定判定となった場合は本プログラムを終了する。
【００９４】
なお、本プログラムが終了した後には、一例として図１１（Ａ）に示すようにディスプレイ１４Ａに、省電力制御を解除してから予め定められた機能が復帰するまでに、画像処理装置１０によって導出された復帰時間と予め定められた機能とを対応させて表示させると共に、受信した導出復帰時間情報により示される他の画像処理装置１０’の復帰時間と予め定められた機能とが対応して表示される。
【００９５】
図１１（Ａ）に示される選択ボタンは、他の画像処理装置１０’に対する省電力制御の解除の指示を受け付け、当該指示を示す解除指示情報を外部インタフェース５６から他の画像処理装置１０’の外部インタフェース５６へ送信させるボタンを示している。すなわち、図１１（Ａ）に示される画像がディスプレイ１４Ａに表示されている状態で、選択ボタンが押圧されると、押圧された選択ボタンに対応する他の画像処理装置１０’に、解除指示情報が送信され、省電力制御が行われている状態で、外部インタフェース５６によって解除指示情報を受信した他の画像処理装置１０’は、省電力制御を解除する。
【００９６】
なお、本実施の形態に係る画像処理装置１０では、選択ボタンとして、操作ボタン１４Ｂのテンキーを用いるが、これに限らず、例えば、タッチパネルとされているディスプレイ１４Ａを用いてもよい。選択ボタンとして、ディスプレイ１４Ａを用いる場合は、ユーザは、例えば、他の画像処理装置１０’に対応する装置名等の予め定められた箇所を押圧することで、省電力制御を解除したい他の画像処理装置１０’を選択する。
【００９７】
さらに、本実施の形態に係る画像処理装置１０は、省電力制御が行われている状態で解除スイッチ１５が省電力制御の解除を受け付け、省電力制御を解除した後に、選択ボタンが他の画像処理装置１０’に対する省電力制御の解除の指示を受け付けた場合に、再び省電力制御を行う。
【００９８】
すなわち、省電力制御が行われている画像処理装置１０が、ディスプレイ１４Ａに図１１（Ａ）に示す画像が表示された後に、ユーザによって一例として他の画像処理装置１０’Ａに対応する選択ボタンが押圧された場合は、ユーザは他の画像処理装置１０’Ａを使用することを示しており、この場合ユーザは、画像処理装置１０を使用しないため画像処理装置１０のＣＰＵ５０は、画像処理装置１０に対して再び省電力制御を行う。
【００９９】
なお、本第２の実施の形態に係る画像処理装置１０では、上記再び行う省電力制御のモードとしてＬＰモードを適用するが、これに限らず、Ｓｌｅｅｐモードを適用してもよいし、又は解除される前の省電力制御のモードと同じモードを適用してもよい。
【０１００】
また、本実施の形態に係る画像処理装置１０は、省電力制御が解除されている他の画像処理装置１０’が外部インタフェース５６に接続されている場合は、当該他の画像処理装置から、予め定められた機能の利用が可能となるまでの待ち時間を示す待ち時間情報を受信する。そして、一例として図１１（Ｂ）に示すように、ディスプレイ１４Ａに、省電力制御が解除されてから予め定められた機能が復帰するまでに、受信した待ち時間情報により示される待ち時間を予め定められた機能に対応させて表示させる。
【０１０１】
図１１（Ｂ）において、他の画像処理装置１０’Ｂにおける省電力モードにおける「ＲＵＮ」の表示は、他の画像処理装置１０’Ｂは省電力制御が解除されていることを示している。また、スキャン機能における他の画像処理装置１０’Ｂに対する復帰時間における「０秒」の表示は、ユーザによるスキャン機能の利用が待ち時間なしで利用可能であることを示している。また、コピー機能における他の画像処理装置１０’Ｂに対する復帰時間の「５秒」の表示は、他の画像処理装置１０’Ｂのコピー機能が実行中であり、５秒後に当該実行が終了することを示している。すなわち、ユーザによるコピー機能の利用が５秒後に可能であることを示している。
【０１０２】
以上、本発明を上記各実施の形態を用いて説明したが、本発明の技術的範囲は上記各実施の形態に記載の範囲には限定されない。
【０１０３】
例えば、上記各実施の形態では、省電力制御が解除されてから予め定められた機能が復帰するまでに、導出された復帰時間と予め定められた機能とを対応させてディスプレイ１４Ａに表示する場合について説明したが、本発明はこれに限定されるものではなく、復帰時間と予め定められた機能とを対応させて不図示のスピーカから音声により報知してもよいし、外部インタフェース５６を介して接続されているパーソナル・コンピュータのモニタに復帰時間と予め定められた機能とを対応させて表示する形態としてもよい。
【０１０４】
また、上記各実施の形態では、省電力制御が行われている状態で予め定められた機能に復帰時間を予め導出する場合について説明したが、本発明はこれに限定されるものではなく、省電力制御が解除された後に予め定められた機能に復帰時間を導出する形態としてもよい。
【０１０５】
また、上記各実施の形態では、定着部３８が定着温度に達するまでの時間をＲＡＭ５４に記憶した復帰時間情報に基づいて導出する場合について説明したが、本発明はこれに限定されるものではなく、省電力制御に移行してからの経過時間、雰囲気温度を変数とした算出式をＲＡＭ５４に記憶し、当該算出式に基づいて定着部３８が定着温度に達するまでの時間を導出する形態としてもよい。
【０１０６】
また、上記各実施の形態では、省電力制御に移行してからの経過時間が長くなるほど長い時間間隔で、定着部３８が定着温度に達するまでの時間を導出する場合について説明したが、本発明はこれに限定されるものではなく、予め定められた時間間隔（例えば、１分間隔）毎に定着部３８が定着温度に達するまでの時間を導出する形態としてもよい。
【０１０７】
また、上記実施の形態に係る復帰時間報知プログラム及び情報送受信プログラムは、ＲＯＭ５２に予め記憶しておく形態の他、ＨＤＤ６２に予め記憶しておく形態、コンピュータで読み取られる記憶媒体に格納された状態で提供される形態、有線又は無線による通信手段を介して配信される形態等に適用される。
【符号の説明】
【０１０８】
１０    画像処理装置
１２    プリンタ部（画像形成手段）
１４Ａ  ディスプレイ（報知手段）
１４Ｂ  操作ボタン（第２の受付手段）
１５    解除スイッチ（受付手段）
１６    画像形成ユニット（画像形成部）
３８    定着部
４２    温度センサ（温度検出手段）
５０    ＣＰＵ（省電力制御手段、解除手段、導出手段、報知制御手段）
５６    外部インタフェース（受信手段、送信手段）
５８    コントローラ（復帰状態報知制御装置）
【図１】
2010277281.tif 000003
【図２】
2010277281.tif 000004
【図３】
2010277281.tif 000005
【図４】
2010277281.tif 000006
【図５】
2010277281.tif 000007
【図６】
2010277281.tif 000008
【図７】
2010277281.tif 000009
【図８】
2010277281.tif 000010
【図９】
2010277281.tif 000011
【図１０】
2010277281.tif 000012
【図１１】
2010277281.tif 000013